(57)【要約】【課題】画像データの改竄がその一部分のデータのみに発見された場合であっても、改竄が認められない部分のデータについては取扱いを許可することができる画像処理装置を提供することを課題とする。【解決手段】本発明における画像処理装置１は、画像編集装置１１において、画像データに対して任意情報を埋め込む任意情報埋込部１１ａ１と、画像データに対して改竄検知情報を埋め込む改竄検知情報埋込部１１ａ２と、を備え、画像表示装置１２において、画像データに埋め込まれた任意情報を読み取る任意情報読取部１２ａ１と、画像データに埋め込まれた改竄検知情報を読み取る改竄検知情報読取部１２ａ２と、任意情報読取部１２ａ１で読み取られた任意情報を開示する任意情報開示部１２ａ３と、を少なくとも備えている。【選択図】        図１
2006261997.tif 000002
【特許請求の範囲】
【請求項１】
画像データに対して任意情報を埋め込む任意情報埋込手段と、
前記画像データに対して、当該画像データの改竄を検知するための情報である改竄検知情報を埋め込む改竄検知情報埋込手段と、
前記画像データに埋め込まれた任意情報を読み取る任意情報読取手段と、
前記画像データに埋め込まれた改竄検知情報を読み取る改竄検知情報読取手段と、
前記任意情報読取手段で読み取られた任意情報を開示する任意情報開示手段と、
を備えたことを特徴とする画像処理装置。
【請求項２】
前記任意情報開示手段は、前記改竄検知情報読取手段で読み取られた改竄検知情報に基づいて、前記任意情報読取手段で読み取られた任意情報を開示すること、
を特徴とする請求項１に記載の画像処理装置。
【請求項３】
前記画像データは、少なくとも１つ以上のデータ領域を有し、
前記任意情報埋込手段は、前記画像データの各々の前記データ領域に対して任意情報を埋め込むこと、
前記改竄検知情報埋込手段は、前記画像データの各々の前記データ領域に対して改竄検知情報を埋め込むこと、
を特徴とする請求項１または２に記載の画像処理装置。
【請求項４】
前記改竄検知情報読取手段で読み取られた改竄検知情報に基づいて、前記任意情報開示手段で開示する任意情報を変更する任意情報変更手段、
をさらに備えたことを特徴とする請求項１から３のいずれか１つに記載の画像処理装置。
【発明の詳細な説明】
【技術分野】
【０００１】
本発明は、画像データに任意情報および改竄検知情報を付加し、これを利用することにより、画像データに関連する情報を開示可能とする画像処理装置に関する。
【背景技術】
【０００２】
ディジタルタルカメラなどで撮影した画像データに対して著作者などの情報やいわゆる「電子透かし」と呼ばれるようなセキュリティ機能を不可視的に付加して記録する手段や、画像データに付加された情報や機能の利用方法がいろいろ提案されている（例えば特許文献１参照）。特許文献１では、電子透かし情報として、出力記録保持あるいは出力（印刷）禁止処理を実現するシステム等が提案されている。
【０００３】
ところで、１つの画像データには大抵、様々な種類のデータ（例えば文字や写真などのデータ）が混載しており、また、それぞれのデータの種類に応じて、関連する情報も様々である。そのため、例えば、画像データの改竄がその一部分のデータのみに発見された（認められた）場合であっても、改竄が認められない部分のデータについては取扱いを許可してもよい場合が考えられる。
【０００４】
【特許文献１】特開２００１−２６８３４１号公報
【発明の開示】
【発明が解決しようとする課題】
【０００５】
しかしながら、特許文献１に記載の技術では、画像データの改竄がその一部分のデータのみに発見された場合であっても、１つの画像データ全体に対して全ての作業を禁止してしまうため、改竄が認められない部分のデータについては取扱いを許可することができなかった、という問題点があった。
【０００６】
本発明は、上記問題点に鑑みてなされたものであって、画像データの改竄がその一部分のデータのみに発見された場合であっても、改竄が認められない部分のデータについては取扱いを許可することができる画像処理装置を提供することを目的としている。
【課題を解決するための手段】
【０００７】
上述した課題を解決し、目的を達成するために、請求項１にかかる画像処理装置は、画像データに対して任意情報を埋め込む任意情報埋込手段と、前記画像データに対して、当該画像データの改竄を検知するための情報である改竄検知情報を埋め込む改竄検知情報埋込手段と、前記画像データに埋め込まれた任意情報を読み取る任意情報読取手段と、前記画像データに埋め込まれた改竄検知情報を読み取る改竄検知情報読取手段と、前記任意情報読取手段で読み取られた任意情報を開示する任意情報開示手段と、を備えたことを特徴とする。
【０００８】
また、請求項２にかかる画像処理装置は、請求項１にかかる画像処理装置において、前記任意情報開示手段は、前記改竄検知情報読取手段で読み取られた改竄検知情報に基づいて、前記任意情報読取手段で読み取られた任意情報を開示すること、を特徴とする。
【０００９】
また、請求項３にかかる画像処理装置は、請求項１または２にかかる画像処理装置において、前記画像データは、少なくとも１つ以上のデータ領域を有し、前記任意情報埋込手段は、前記画像データの各々の前記データ領域に対して任意情報を埋め込むこと、前記改竄検知情報埋込手段は、前記画像データの各々の前記データ領域に対して改竄検知情報を埋め込むこと、を特徴とする。
【００１０】
また、請求項４にかかる画像処理装置は、請求項１から３のいずれか１つにかかる画像処理装置において、前記改竄検知情報読取手段で読み取られた改竄検知情報に基づいて、前記任意情報開示手段で開示する任意情報を変更する任意情報変更手段、をさらに備えたことを特徴とする。
【発明の効果】
【００１１】
請求項１にかかる画像処理装置は、任意情報埋込手段で画像データに対して任意情報を埋め込み、改竄検知情報埋込手段で、画像データに対して、当該画像データの改竄を検知するための情報である改竄検知情報を埋め込み、任意情報読取手段で、画像データに埋め込まれた任意情報を読み取り、改竄検知情報読取手段で、画像データに埋め込まれた改竄検知情報を読み取り、任意情報開示手段で、任意情報読取手段で読み取られた任意情報を開示するので、画像データの改竄がその一部分のデータのみに発見された場合であっても、改竄が認められない部分のデータについては取扱いを許可することができるという効果を奏する。換言すると、画像データに対する任意情報および改竄検知情報を画像データ作成時に付加して、これを利用するので、画像データに対する信頼性と、画像データに関連する情報を開示可能とすることができるという効果を奏する。
【００１２】
また、請求項２にかかる画像処理装置によれば、任意情報開示手段は、改竄検知情報読取手段で読み取られた改竄検知情報に基づいて、任意情報読取手段で読み取られた任意情報を開示するので、画像データの改竄がその一部分のデータのみに発見された場合であっても、改竄が認められない部分のデータについては取扱いを許可することができるという効果を奏する。換言すると、画像データに対する任意情報および改竄検知情報を画像データ作成時に付加して、これを利用するので、画像データに対する信頼性と、画像データに関連する情報を開示可能とすることができるという効果を奏する。
【００１３】
また、請求項３にかかる画像処理装置によれば、画像データは、少なくとも１つ以上のデータ領域を有し、任意情報埋込手段は、画像データの各々のデータ領域に対して任意情報を埋め込み、改竄検知情報埋込手段は、画像データの各々のデータ領域に対して改竄検知情報を埋め込むので、画像データの改竄がその一部分のデータのみに発見された場合であっても、改竄が認められない部分（データ領域）のデータについては取扱いを確実に許可することができるという効果を奏する。換言すると、１つの画像データ中に複数の任意情報および改竄検知情報を付加するので、より多くの画像データに関連する信頼性のある情報を開示可能とすることができるという効果を奏する。
【００１４】
また、請求項４にかかる画像処理装置によれば、任意情報変更手段で、改竄検知情報読取手段で読み取られた改竄検知情報に基づいて、任意情報開示手段で開示する任意情報を変更するので、例えば、改竄が認められた部分（データ領域）のデータに対応する任意情報を開示可能な任意情報に変更することができるという効果を奏する。換言すると、各領域のデータに付加された改竄検知情報によって当該データに対する改竄が認められた場合に、開示する任意情報を変更することができるので、状況に応じた任意情報を提供することが可能となり、本装置の順応性をより高めることができるという効果を奏する。
【発明を実施するための最良の形態】
【００１５】
以下に添付図面を参照して、この発明にかかる画像処理装置の最良な実施の形態を詳細に説明する。なお、本発明はこの実施の形態により限定されるものではない。
【００１６】
まず、本実施の形態の画像処理装置１の構成について、図１を参照して説明する。図１は、画像処理装置１の構成を示すブロック図である。本実施の形態における画像処理装置１は、任意情報や改竄検知情報を付加するために画像データを編集する画像編集装置１１と、画像データに付加された任意情報や改竄検知情報を利用して画像データを表示（開示）する画像表示装置１２と、で構成される。なお、画像処理装置１において、画像編集装置１１と画像表示装置１２との間での情報のやり取りは、図示の如く、インターネットやＬＡＮなどのネットワーク１３や記憶媒体１４（フレキシブルディスクやコンパクトディスク（ＣＤ）や光磁気ディスク（ＭＯ）やメモリカードなどの外部記録メディア）などを介して行われる。ここで、例えば、画像処理装置１の画像編集装置１１で編集された画像データを、ネットワーク１３や記録媒体１４を介して他の画像処理装置１の画像表示装置１２に読み取らせ、当該画像表示装置１２で開示してもよい。
【００１７】
ここで、「画像データ」は、スキャナ等で読み取られたものであり、文字や写真等の様々なデータを含んでいる。具体的には、図２に示すように、画像データ（図２（Ａ））には、１つ以上の（例えば領域Ａや領域Ｂや領域Ｃなどの複数の）データ領域（図２（Ｂ））がある。そして、各データ領域（図２（Ｂ））には、文字や写真などのデータが埋め込まれる。また、「任意情報」は、画像データの各データ領域に埋め込まれたデータに関連する情報であり、各データ領域に埋め込まれる。ここで、任意情報としては、データ領域に埋め込まれたデータが文章である場合には、例えば、当該文章の著者に関する情報（例えば名前や連絡先やＥメールアドレスなど）や当該文章のタイトルに関する情報や当該文章の参考文献に関する情報などが挙げられる。また、データ領域に埋め込まれたデータが写真である場合には、例えば、当該写真の撮影日時や撮影場所や撮影者などが挙げられる。また、その他の任意情報としては、例えば、各データ領域に埋め込まれたデータに関する詳細な情報などが得られるＷｅｂのアドレスなどが挙げられる。また、「改竄検知情報」は、画像データの改竄を検知するための情報であり、各データ領域に埋め込まれる。
【００１８】
再び図１に戻り、本実施の形態における画像編集装置１１は、当該画像編集装置１１の全体を統括的に制御するＣＰＵ等の制御部１１ａと、各種のデータベースやテーブルやファイルなどを格納する記憶部１１ｂと、画像編集装置１１を、ルータ等の通信装置および専用線等の有線または無線の通信回線を介してネットワーク１３に通信可能に接続したり、記憶媒体１４に接続したりする接続部１１ｃと、画像データ（画像データの各データ領域に埋め込まれたデータを含む）や任意情報などを表示する表示部１１ｄと、で構成されており、これら各部はバスを介して接続されている。
【００１９】
制御部１１ａは、図示の如く、大別して、任意情報埋込部１１ａ１と、改竄（改ざん）検知情報埋込部１１ａ２と、を備えている。なお、制御部１１ａは、ＯＳ（Ｏｐｅｒａｔｉｎｇ  Ｓｙｓｔｅｍ）等の制御プログラム、各種の処理手順等を規定したプログラムおよび所要データを格納するための内部メモリを有し、これらのプログラムに基づいて種々の処理を実行するための情報処理を行う。任意情報埋込部１１ａ１は、画像データに対して任意情報を埋め込む。ここで、画像データが少なくとも１つ以上のデータ領域を有する場合、任意情報埋込部１１ａ１は、画像データの各々のデータ領域に対して任意情報を埋め込む。改竄検知情報埋込部１１ａ２は、画像データに対して、当該画像データの改竄を検知するための情報である改竄検知情報を埋め込む。ここで、画像データが少なくとも１つ以上のデータ領域を有する場合、改竄検知情報埋込部１１ａ２は、画像データの各々のデータ領域に対して改竄検知情報を埋め込む。記憶部１１ｂは、ストレージ手段であり、例えば、ＲＡＭ、ＲＯＭ等のメモリ装置や、ハードディスクのような固定ディスク装置や、フレキシブルディスクや、光ディスク等を用いることができる。接続部１１ｃは、ネットワーク接続用コネクタやドライブ（例えばフレキシブルディスクドライブやＣＤドライブやＭＯドライブなど）やメモリカードスロットなどであり、ネットワーク１３や記憶媒体１４に接続する。表示部１１ｄは、例えばモニタである。
【００２０】
また、本実施の形態における画像表示装置１２は、当該画像表示装置１２の全体を統括的に制御するＣＰＵ等の制御部１２ａと、各種のデータベースやテーブルやファイルなどを格納する記憶部１２ｂと、画像表示装置１２を、ルータ等の通信装置および専用線等の有線または無線の通信回線を介してネットワーク１３に通信可能に接続したり、記憶媒体１４に接続したりする接続部１２ｃと、画像データや任意情報などを表示する表示部１２ｄと、で構成されており、これら各部はバスを介して接続されている。なお、以下では、上述した画像編集装置１１の説明と重複する説明を省略する。
【００２１】
制御部１２ａは、図示の如く、大別して、任意情報読取部１２ａ１と、改竄（改ざん）検知情報読取部１２ａ２と、任意情報開示部１２ａ３と、任意情報変更部１２ａ４と、を備えている。任意情報読取部１２ａ１は、画像データ（具体的には画像データの各データ領域）に埋め込まれた任意情報を読み取る。改竄検知情報読取部１２ａ２は、画像データ（具体的には画像データの各データ領域）に埋め込まれた改竄検知情報を読み取る。任意情報開示部１２ａ３は、任意情報読取部１２ａ１で読み取られた任意情報を開示する。具体的には、任意情報開示部１２ａ３は、改竄検知情報読取部１２ａ２で読み取られた改竄検知情報に基づいて、任意情報読取部１２ａ１で読み取られた任意情報を開示する。さらに具体的には、任意情報開示部１２ａ３は、改竄検知情報読取部１２ａ２で読み取られた改竄検知情報に基づいて改竄検知が認められたか否かを判定し、当該判定の結果が「改竄否検知」であった場合、任意情報読取部１２ａ１で読み取られた任意情報を開示する（又は開示可能にする）。任意情報変更部１２ａ４は、改竄検知情報読取部１２ａ２で読み取られた改竄検知情報に基づいて、任意情報開示部１２ａ３で開示する任意情報（開示前の任意情報）を変更する。具体的には、任意情報変更部１２ａ４は、改竄検知情報読取部１２ａ２で読み取られた改竄検知情報に基づいて改竄検知が認められたか否かを判定し、当該判定の結果が「改竄検知」であった場合、任意情報開示部１２ａ３で開示する任意情報（開示前の任意情報）を開示可能な任意情報に変更する。
【００２２】
以上の構成において、本実施の形態における画像処理装置１で行われる任意情報開示処理および任意情報変更処理を、図３および図４を参照して説明する。なお、以下では、画像処理装置１Ａの画像編集装置１１および画像処理装置１Ｂの画像表示装置１２で、任意情報開示処理や任意情報変更処理を行った場合の一例について説明する。
【００２３】
まず、本実施の形態における画像処理装置１で行われる任意情報開示処理を、図３を参照して説明する。図３は、画像処理装置１で行われる任意情報開示処理の流れを示す図である。
【００２４】
まず、画像処理装置１Ａの画像編集装置１１において、任意情報埋込部１１ａ１で、スキャナ等の読取装置で読み取った画像データ（少なくとも１つ以上のデータ領域を有する画像データ）に対して任意情報を埋め込む（ステップＳＡ−１）。具体的には、まず、制御部１１ａで、スキャナ等で読み取った画像データを表示部１１ｄに表示し、記憶部１１ｂに画像データを記憶する。ついで、例えばユーザがキーボードを介して、表示部１１ｄに表示された画像データのデータ領域に対して任意情報を入力（設定）すると、任意情報埋込部１１ａ１で、ユーザにより入力された任意情報を画像データのデータ領域に対して埋め込む。
【００２５】
ついで、画像処理装置１Ａの画像編集装置１１において、改竄検知情報埋込部１１ａ２で、画像データに対して改竄検知情報を埋め込む（ステップＳＡ−２）。具体的には、例えばユーザがキーボードを介して、表示部１１ｄに表示された画像データのデータ領域に対して改竄検知情報を設定すると、任意情報埋込部１１ａ１で、ユーザにより設定された改竄検知情報を画像データのデータ領域に対して埋め込む。これにより、画像データの各データ領域には任意情報および改竄検知情報が埋め込まれ、当該画像データは記憶部１１ｂに記憶される。そして、画像処理装置１Ａの画像編集装置１１において、制御部１１ａで、任意情報および改竄検知情報を各データ領域に持つ画像データを、ネットワーク１３に接続した接続部１１ｃを介して画像処理装置１Ｂの画像表示装置１２に送信する。なお、制御部１１ａで、任意情報および改竄検知情報を各データ領域に持つ画像データを、接続部１１ｃを介して記憶媒体１４に記憶させてもよい。
【００２６】
ついで、画像処理装置１Ｂの画像表示装置１２において、制御部１２ａで、画像処理装置１Ａの画像編集装置１１から送信された画像データを、ネットワーク１３に接続した接続部１２ｃを介して受信する（または記憶媒体１４に記憶させた画像データを、当該記憶媒体１４に接続した接続部１２ｃを介して読み取る）と、任意情報読取部１２ａ１で画像データに埋め込まれた任意情報を読み取り、改竄検知情報読取部１２ａ２で画像データに埋め込まれた改竄検知情報を読み取る。なお、ネットワーク１３を介して受信した（または記憶媒体１４から読み取った）画像データは記憶部１２ｂに記憶される。
【００２７】
ついで、画像処理装置１Ｂの画像表示装置１２において、任意情報開示部１２ａ３で、改竄検知情報読取部１２ａ２で読み取られた改竄検知情報に基づいて、改竄検知が認められたか否かを判定する（ステップＳＡ−３）。
【００２８】
ついで、画像処理装置１Ｂの画像表示装置１２において、ステップＳＡ−３の判定結果が「改竄否検知（改竄無）」であった場合、任意情報開示部１２ａ３で、任意情報読取部１２ａ１で読み取られた任意情報および当該任意情報に対応するデータ領域のデータを表示部１２ｄに開示する（ステップＳＡ−４）。これにより、改竄が認められなかったデータ領域のデータに対応する任意情報を開示することが可能になる。以上、任意情報開示処理の説明を終了する。
【００２９】
つぎに、本実施の形態における画像処理装置１で行われる任意情報変更処理を、図４を参照して説明する。図４は、画像処理装置１で行われる任意情報変更処理の流れを示す図である。ここで、本任意情報変更処理のうち画像処理装置１Ａの画像編集装置１１で行われる処理（図４におけるステップＳＢ−１およびＳＢ−２の処理を含む）は上述した任意情報開示処理と同様であるため、その説明を省略する。
【００３０】
まず、画像処理装置１Ｂの画像表示装置１２において、制御部１２ａで、画像処理装置１Ａの画像編集装置１１から送信された画像データを、ネットワーク１３に接続した接続部１２ｃを介して受信する（または記憶媒体１４に記憶された画像データを、当該記憶媒体１４に接続した接続部１２ｃを介して読み取る）と、任意情報読取部１２ａ１で画像データに埋め込まれた任意情報を読み取り、改竄検知情報読取部１２ａ２で画像データに埋め込まれた改竄検知情報を読み取る。なお、ネットワーク１３を介して受信した（または記憶媒体１４から読み取った）画像データは記憶部１２ｂに記憶される。
【００３１】
ついで、画像処理装置１Ｂの画像表示装置１２において、任意情報開示部１２ａ３で、改竄検知情報読取部１２ａ２で読み取られた改竄検知情報に基づいて、改竄検知が認められたか否かを判定する（ステップＳＢ−３）。
【００３２】
ついで、画像処理装置１Ｂの画像表示装置１２において、ステップＳＢ−３の判定結果が「改竄検知（改竄有）」であった場合、任意情報変更部１２ａ４で、任意情報開示部１２ａ３で開示する任意情報（開示前の任意情報）を変更し、任意情報開示部１２ａ３で、変更された任意情報を表示部１２ｄに開示する（ステップＳＢ−４）。具体的には、任意情報変更部１２ａ４で、任意情報開示部１２ａ３で開示する任意情報（開示前の任意情報）を開示可能な任意情報に変更し、任意情報開示部１２ａ３で、当該開示可能な任意情報を表示部１２ｄに開示（表示）する。これにより、状況に応じた任意情報を提供することが可能となる。以上、任意情報変更処理の説明を終了する。
【００３３】
以上説明したように、画像処理装置１は、任意情報埋込部１１ａ１で画像データに対して任意情報を埋め込み、改竄検知情報埋込部１１ａ２で画像データに対して改竄検知情報を埋め込み、任意情報読取部１２ａ１で画像データに埋め込まれた任意情報を読み取り（解読し）、改竄検知情報読取部１２ａ２で画像データに埋め込まれた改竄検知情報を読み取り、任意情報開示部１２ａ３で、任意情報読取部１２ａ１で読み取られた任意情報を開示する。具体的には、画像処理装置１は、任意情報埋込部１１ａ１で画像データに対して任意情報を埋め込み、改竄検知情報埋込部１１ａ２で画像データに対して改竄検知情報を埋め込み、任意情報読取部１２ａ１で画像データに埋め込まれた任意情報を読み取り、改竄検知情報読取部１２ａ２で画像データに埋め込まれた改竄検知情報を読み取り、任意情報開示部１２ａ３で、改竄検知情報読取部１２ａ２で読み取られた改竄検知情報に基づいて、任意情報読取部１２ａ１で読み取られた任意情報を開示する。さらに具体的には、画像処理装置１は、任意情報埋込部１１ａ１で画像データに対して任意情報を埋め込み、改竄検知情報埋込部１１ａ２で画像データに対して改竄検知情報を埋め込み、任意情報読取部１２ａ１で画像データに埋め込まれた任意情報を読み取り、改竄検知情報読取部１２ａ２で画像データに埋め込まれた改竄検知情報を読み取り、任意情報開示部１２ａ３で、改竄検知情報読取部１２ａ２で読み取られた改竄検知情報に基づいて改竄検知が認められたか否かを判定し、当該判定の結果が「改竄否検知」であった場合、任意情報読取部１２ａ１で読み取られた任意情報を表示部１２ｄに開示する。また、画像データの交換や共有は、外部記録メディアやネットワーク等を介して画像処理装置１の画像編集装置１１と画像表示装置１２との間で行われ、画像表示装置１２において任意情報の解読や改竄検知情報を利用した改竄の検知が行われる。これにより、改竄が認められないデータ領域のデータについては取扱いを許可することができる。換言すると、画像データに対する任意情報および改竄検知情報を画像データ作成時に付加して、これを利用するので、画像データに対する信頼性と、画像データに関連する情報を開示可能とすることができる。
【００３４】
ここで、「画像データ」は、少なくとも１つ以上のデータ領域を有し、任意情報埋込部１１ａ１は、画像データの各々のデータ領域に対して任意情報を埋め込んでもよく、改竄検知情報埋込部１１ａ２は、画像データの各々のデータ領域に対して改竄検知情報を埋め込んでもよい。画像データ中には文字や写真など様々なデータが混載しており、当該データに関連する情報（任意情報）も異なる。そこで、画像処理装置１を利用すると、データ領域のデータ（例えば文字や写真など）ごとに異なる任意情報や改竄検知情報を、対応するデータ領域に埋め込むことができる。これにより、改竄が認められないデータ領域のデータについては取扱いを確実に許可することができる。換言すると、１つの画像データ中に複数の任意情報および改竄検知情報を付加するので、より多くの画像データに関連する信頼性のある情報を開示可能とすることができる。任意情報が埋め込まれたデータ領域のデータに対して編集などが行われた場合、当該データに付随する任意情報は間違った情報になることが考えられる。そこで、画像処理装置１を利用すると、改竄検知により改竄が認められた場合は、そのデータ領域に対する任意情報を否開示にすることができる。
【００３５】
また、「任意情報」は、例えば、データ領域のデータに関する著作権所有者や管理者などへの連絡先と、データ領域のデータに関連する付加情報（例えば、データ領域に埋め込まれたデータが文章である場合は、当該文章の著者に関する情報（例えば名前や連絡先やＥメールアドレスなど）や当該文章のタイトルに関する情報や当該文章の参考文献に関する情報などが挙げられる。また、例えば、データ領域に埋め込まれたデータが写真である場合は、当該写真の撮影日時や撮影場所や撮影者などが挙げられる。その他としては、例えば、各データ領域に埋め込まれたデータに関する詳細な情報などが得られるＷｅｂのアドレスなどが挙げられる。）と、を含んでもよい。そして、画像処理装置１を利用して、任意情報の解読および連絡先への連絡を促す通知を行ったり、改竄が認められない場合には任意情報が埋め込まれたデータ領域のデータに関連する付加情報も開示したりしてもよい。
【００３６】
また、画像処理装置１は、任意情報変更部１２ａ４で、改竄検知情報読取部１２ａ２で読み取られた改竄検知情報に基づいて、任意情報開示部１２ａ３で開示する任意情報（開示前の任意情報）を変更してもよい。具体的には、任意情報変更部１２ａ４で、改竄検知情報読取部１２ａ２で読み取られた改竄検知情報に基づいて改竄検知が認められたか否かを判定し、当該判定の結果が「改竄検知」であった場合、任意情報開示部１２ａ３で開示する任意情報（開示前の任意情報）を開示可能な任意情報に変更してもよい。これにより、状況に応じた任意情報を提供することが可能となる。
【産業上の利用可能性】
【００３７】
以上のように、本発明にかかる画像処理装置は、画像データの改竄がその一部分のデータのみに発見された場合であっても、改竄が認められない部分のデータについては取扱いを許可することができ、極めて有用である。
【図面の簡単な説明】
【００３８】
【図１】画像処理装置１の構成を示すブロック図である。
【図２】画像データおよび画像データのデータ領域の一例を示す図である。
【図３】画像処理装置１で行われる任意情報開示処理の流れを示す図である。
【図４】画像処理装置１で行われる任意情報変更処理の流れを示す図である。
【符号の説明】
【００３９】
１  画像処理装置
１１  画像編集装置
１１ａ  制御部
１１ａ１  任意情報埋込部
１１ａ２  改竄検知情報埋込部
１１ｂ  記憶部
１１ｃ  接続部
１１ｄ  表示部
１２  画像表示装置
１２ａ  制御部
１２ａ１  任意情報読取部
１２ａ２  改竄検知情報読取部
１２ａ３  任意情報開示部
１２ａ４  任意情報変更部
１２ｂ  記憶部
１２ｃ  接続部
１２ｄ  表示部
１３  ネットワーク
１４  記憶媒体
【図１】
2006261997.tif 000003
【図２】
2006261997.tif 000004
【図３】
2006261997.tif 000005
【図４】
2006261997.tif 000006